(57)【要約】【課題】映像機器の回転台の回転機構の構成部品が大きいので、デザイン上の制限が発生するという問題点があった。【解決手段】任意形状の天板の固定を行うブラケット（上）と、前記ブラケット（上）と接し潤滑を行うスペーサ（上）と、前記スペーサ（上）と接し任意形状の底板の固定を行うブラケット（下）と、前記ブラケット（下）と接し潤滑を行うスペーサ（下）と、前記スペーサ（下）と接するワッシャーと、前記ワッシャーを前記スペーサ（下）に押し付けるバネと、前記バネと前記ブラケット（下）との間に配設される筒と、前記バネを固定するネジにより構成される。【選択図】　図４
2004056606.tif 000002
【特許請求の範囲】
【請求項１】
任意形状の天板の固定を行うブラケット（上）と、前記ブラケット（上）と接し潤滑を行うスペーサ（上）と、前記スペーサ（上）と接し任意形状の底板の固定を行うブラケット（下）と、前記ブラケット（下）と接し潤滑を行うスペーサ（下）と、前記スペーサ（下）と接するワッシャーと、前記ワッシャーを前記スペーサ（下）に押し付けるバネと、前記バネと前記ブラケット（下）との間に配設される筒と、前記バネを固定するネジを備えたことを特徴とする映像機器の回転機構。
【請求項２】
前記スペーサ（上）及びそれに接する前記ブラケット（上）と前記ブラケット（下）の潤滑面の形状を円錐状としたことを特徴とする請求項１記載の回転機構。
【請求項３】
前記スペーサ（上）と前記スペーサ（下）の材質を、潤滑性樹脂材料であるＰＯＭ、ＰＡ、ＡＢＳのいずれかとしたことを特徴とする請求項１、２記載の回転機構。
【請求項４】
前記スペーサ（上）の一部を切断したことを特徴とする請求項１〜３記載の回転機構。
【請求項５】
前記ブラケット（上）から立設されたストッパ部材と、前記ブラケット（下）に設けられ前記ストッパ部材に当接する当接部材とを備えることを特徴とする請求項１に記載の回転機構。
【発明の詳細な説明】
【０００１】
【発明の属する技術分野】
本発明は、陰極線管を含む映像機器（例えば、テレビジョン受像器、コンピューターディスプレイ、プラズマテレビ、液晶テレビなど）を最適な角度で視聴するための回転台の回転機構に関する。
【０００２】
【従来の技術】
近年、映像機器の大型化が進み、より快適な視聴環境のため回転機構を備えた回転台が望まれている。
【０００３】
以下に従来の回転台について説明する。
【０００４】
従来、回転台は特願平１１−３５７９９９号公報に記載されたものが知られている。その回転台を図１２に示す。図１２は従来の回転台装置の正面図を示すものである。図１２において、１は収納ラック本体、２は側板、３は底板、４は第１のキャスタ、５は第２のキャスタ、６は天板、７はガラス扉、８はキャスタガイドである。
【０００５】
以上のように構成された従来の回転台について、以下にその動作について説明する。
【０００６】
収納ラック本体１の底板３の裏面に複数個の第１のキャスタ４を同一円周上に等間隔に設けるとともに、底板３の前部両側の裏面にも第２のキャスタ５を設ける。収納ラック本体１にＡＶ機器を収納あるいは載置した状態で、第１のキャスタ４、第２のキャスタ５を利用して室の所定位置に移動し、その位置で第１のキャスタ４の下にキャスタガイド８を敷き、第１のキャスタ４をキャスタガイド８のリング状の溝条に嵌合する。
【０００７】
【発明が解決しようとする課題】
しかしながら従来の構成では、回転台の回転機構の構成部品が大きいので、デザイン上の制限が発生するという問題点を有していた。
【０００８】
また、回転のトルクがキャスタの設置面によって変化するため、設置上の制限が発生するという問題点を有していた。
【０００９】
更に、回転のストッパをキャスタガイドに設けてもキャスタが乗り越えやすいため、回転させる際に脱線し易いという問題点を有していた。
【００１０】
本発明は上記従来の問題点を解決するもので、小型の構成部品でデザイン上の制限や設置上の制限を最少とし且つ回転運動を所定の角度で確実に停止させる回転機構を提供することを目的とする。
【００１１】
【課題を解決するための手段】
本発明は上記の目的を達成するために以下の構成とする。
【００１２】
本発明の映像機器の回転機構は、任意形状の天板の固定を行うブラケット（上）と、前記ブラケット（上）と接し潤滑を行うスペーサ（上）と、前記スペーサ（上）と接し任意形状の底板の固定を行うブラケット（下）と、前記ブラケット（下）と接し潤滑を行うスペーサ（下）と、前記スペーサ（下）と接するワッシャーと、前記ワッシャーを前記スペーサ（下）に押し付けるバネと、前記バネと前記ブラケット（下）との間に配設される筒と、前記バネを固定するネジによる構成を有している。この構成によって、小型の構成部品で回転機構を得られることにより、デザイン上の制限がなくなる。また、前記バネの押し付け量を、前記筒の長さを変えることよって変化させ回転トルクの調整ができるため、任意の回転トルクが設定でき設置面の影響を受けないため設置上の制限がなくなる。
【００１３】
本発明の映像機器の回転機構は、前記スペーサ（上）及びそれに接する前記ブラケット（上）と前記ブラケット（下）の潤滑面の形状を円錐状とする構成を有している。この構成によって潤滑面の接触面積を増やすことが可能となり、前記スペーサ（上）にかかる単位面積あたりの負荷が減ることにより、回転運動による前記スペーサ（上）の摩耗量が減り回転機構の耐摩耗性を向上する。
【００１４】
本発明の映像機器の回転機構は、前記スペーサ（上）と前記スペーサ（下）の材質を、潤滑性樹脂材料とした構成を有している。この構成によって高価な鋼球用いたベアリングや金属製の潤滑ワッシャーなどを使用することがなく、また潤滑オイルやグリスなどのように枯渇や変質を防ぐ補給装置が必要ないため、安価に回転機構を提供する。
【００１５】
本発明の映像機器の回転機構は、前記スペーサ（上）の一部を切断した構成を有している。この構成によって加工上前記ブラケット（上）と前記ブラケット（下）の接触潤滑面の仕上がりがばらついたとしても、前記スペーサ（上）の切断面の隙間が任意に広がったり捻じれたりして前記ブラケット（上）と前記ブラケット（下）の潤滑面に沿うことにより、前記ブラケット（上）と前記ブラケット（下）の加工上のばらつきを吸収し、加工公差上生ずるがたつきを抑制する。
【００１６】
本発明の映像機器の回転機構は、前記ブラケット（上）から立設されたストッパ部材と、前記ブラケット（下）に設けられ前記ストッパ部材に当接する当接部材とで構成を有している。この構成によって上側回転部材である前記ブラケット（上）の過回転を当接部材で抑制するため、回転機構を任意の角度で規制する。
【００１７】
【発明の実施の形態】
以下、本発明を図面を参照しながら詳細に説明する。
【００１８】
（実施の形態１）
図１は、本発明の映像機器の回転機構を備えた回転台のプラズマテレビを設置した状態での外観斜視図であり、図１において、９はプラズマテレビ、１０は回転台より構成される。
【００１９】
図２は、本発明の映像機器の回転機構を備えた回転台の外観斜視図であり、図２において、１０は回転台、１１は天板より構成される。
【００２０】
図３、４は、本発明の映像機器の回転機構を備えた回転台の分解斜視図及び組立断面図であり、図３、４において、１３は任意形状の天板の固定を行う回転体であるブラケット（上）で、好ましくは樹脂成形品またはアルミダイキャストか金属鋳物もしくは板金部材で構成される。また、前記天板と前記ブラケット（上）１３との固定は、好ましくはビス締結や爪嵌合及びカシメや接着工法で構成される。１４は前記ブラケット（上）１３と接し潤滑媒体であるスペーサ（上）で、１５は前記スペーサ（上）１４と接し任意形状の底板２１の固定を行うブラケット（下）で、好ましくは樹脂成形品またはアルミダイキャストか金属鋳物もしくは板金部材で構成される。１６は前記ブラケット（下）１５と接し潤滑媒体であるスペーサ（下）で、１７は前記スペーサ（下）１６と接するワッシャーで、好ましくは樹脂成形品またはアルミダイキャストか金属鋳物もしくは板金部材で構成される。１８は前記ワッシャー１７を前記スペーサ（下）１６に押し付けるバネで、バネとしては板バネやコイルバネまたは弾性体であるゴム等が使用でき、特に板バネは加工の容易さの点から好ましい。１９は前記バネ１８と前記ブラケット（下）１５との間に配設される筒で、好ましくは樹脂成形品またはアルミダイキャストか金属鋳物もしくは板金部材で構成される。２０は前記バネ１８を固定するネジである。２１は前記ブラケット（下）１５に固定される底板であり、前記ブラケット（下）１５と前記底板２１との固定は、好ましくはビス締結や爪嵌合及びカシメや接着工法で構成される。１２は前記底板２１に固定されるカバーであり、前記底板２１と前記カバー１２との固定は、好ましくはビス締結や爪嵌合及びカシメや接着工法で構成される。
【００２１】
以上のように構成された、映像機器の回転機構において、図１〜４を用いてその動作を説明する。
【００２２】
前記プラズマテレビ９を回転させるための力を加えると、前記プラズマテレビ９と固定されている前記天板１１を経由し、前記ブラケット（上）１３に回転力が伝わる。一方、前記底板２１は床面に固定されており、前記底板２１と前記前記ブラケット（下）１５とも固定されているため、前記ブラケット（上）１３と前記前記ブラケット（下）１５との間で摩擦が生じる。これらの摩擦により、異常音や接触部分の摩耗及び不均一な回転運動（トルクの変動）が生じ商品性を著しく低下させる。これらを潤滑媒体である前記スペーサ（上）１４にて防止する。
【００２３】
また、回転トルクは前記ブラケット（上）１３及び前記前記ブラケット（下）１５から前記スペーサ（上）１４にかかる圧力に比例するため、前記バネ１８にて前記スペーサ（下）１６と前記ワッシャー１７及び前記ネジ２０を経由し、前記スペーサ（上）１４に均一な圧力をかけ安定した回転トルクを得ることができる。
【００２４】
さらに、前記バネ１８の押し付け量を前記筒１９の長さを任意に変えることよって変化させることができるため、任意に回転機構の回転トルクが設定できる。
【００２５】
以上のように本実施の形態によれば、小型の構成部品で回転機構を得られることにより、デザイン上の制限がなくなる。また、前記バネの押し付け量を、前記筒の長さを変えることよって変化させ回転トルクの調整ができるため、任意の回転トルクが設定でき設置面の影響を受けないため設置上の制限がなくなる。
【００２６】
（実施の形態２）
図５、６は、本発明の映像機器の回転機構を備えた回転台の分解斜視図及び組立断面図であり、図６において、左半分は図４を表している。１３ａは任意形状の天板１１の固定を行う回転体であるブラケット（上）で、好ましくは樹脂成形品またはアルミダイキャストか金属鋳物もしくは板金部材で構成される。１４ａは前記ブラケット（上）１３ａと接し潤滑媒体であるスペーサ（上）で、１５ａは前記スペーサ（上）１４ａと接し任意形状の底板２１の固定を行うブラケット（下）で、好ましくは樹脂成形品またはアルミダイキャストか金属鋳物もしくは板金部材で構成される。１６は前記ブラケット（下）１５ａと接し潤滑媒体であるスペーサ（下）で、１７は前記スペーサ（下）１６と接するワッシャーで、好ましくは樹脂成形品またはアルミダイキャストか金属鋳物もしくは板金部材で構成される。１８は前記ワッシャー１７を前記スペーサ（下）１６に押し付けるバネで、バネとしては板バネやコイルバネまたは弾性体であるゴム等が使用でき、特に板バネは加工の容易さの点から好ましい。１９は前記バネ１８と前記ブラケット（下）１５ａとの間に配設される筒で、好ましくは樹脂成形品またはアルミダイキャストか金属鋳物もしくは板金部材で構成される。２０は前記バネ１８を固定するネジで、以上は図４の構成と同様なものである。
【００２７】
図４の構成と異なるのは、前記スペーサ（上）１４ａ及びそれに接する前記ブラケット（上）１３ａと前記ブラケット（下）１５ａの潤滑面の形状を円錐状とした点である。
【００２８】
以上のように構成された、映像機器の回転機構において、図６を用いてその動作を説明する。
【００２９】
前記ブラケット（上）１３ａに回転力が伝わると、前記ブラケット（上）１３ａと前記前記ブラケット（下）１５ａとの間で摩擦が生じる。これらの摩擦により、異常音や接触部分の摩耗及び不均一な回転運動（トルクの変動）が生じ商品性を著しく低下させる。これらを潤滑媒体である前記スペーサ（上）１４ａにて防止する。
【００３０】
また、前記スペーサ（上）１４ａの摩耗量は前記ブラケット（上）１３ａ及び前記ブラケット（下）１５ａから前記スペーサ（上）１４ａにかかる圧力に比例するため、前記スペーサ（上）１４ａ及びそれに接する前記ブラケット（上）１３ａと前記ブラケット（下）１５ａの潤滑面の形状を円錐状として接触面積を増やすことにより、単位面積あたりの荷重を減らし、前記スペーサ（上）１４ａの摩耗量の減少させることにより回転機構の寿命を向上する。
【００３１】
以上のように本実施の形態によれば、回転運動による前記スペーサ（上）１４ａの摩耗量が減り回転機構の耐摩耗性を向上する。
【００３２】
なお、以上の説明ではスペーサ（上）１４ａ及びスペーサ（下）１６は潤滑媒体であり、一般的には鋼球用いたベアリングや金属製の潤滑ワッシャーまたは潤滑オイルやグリスが使用されるが、前記スペーサ（上）１４ａと前記スペーサ（下）１６の材質を、潤滑性樹脂材料とする。
【００３３】
この構成によって高価な鋼球用いたベアリングや金属製の潤滑ワッシャーなどを使用することがなく、また潤滑オイルやグリスなどのように枯渇や変質を防ぐ補給装置が必要ないため、安価に回転機構を提供する。
【００３４】
（実施の形態３）
図７，８は、本発明の映像機器の回転機構を備えた回転台の分解斜視図及び組立断面図であり、図８において、１３ｂは任意形状の天板１１の固定を行う回転体であるブラケット（上）で、好ましくは樹脂成形品またはアルミダイキャストか金属鋳物もしくは板金部材で構成される。１４ａは前記ブラケット（上）１３ｂと接し潤滑媒体であるスペーサ（上）で、１４ｂは前記ブラケット（上）の切断面、１５ｂは前記スペーサ（上）１４ａと接し任意形状の底板２１の固定を行うブラケット（下）で、好ましくは樹脂成形品またはアルミダイキャストか金属鋳物もしくは板金部材で構成される。１６は前記ブラケット（下）１５ｂと接し潤滑媒体であるスペーサ（下）で、１７は前記スペーサ（下）１６と接するワッシャーで、好ましくは樹脂成形品またはアルミダイキャストか金属鋳物もしくは板金部材で構成される。１８は前記ワッシャー１７を前記スペーサ（下）１６に押し付けるバネで、バネとしては板バネやコイルバネまたは弾性体であるゴム等が使用でき、特に板バネは加工の容易さの点から好ましい。１９は前記バネ１８と前記ブラケット（下）１５ｂとの間に配設される筒で、好ましくは樹脂成形品またはアルミダイキャストか金属鋳物もしくは板金部材で構成される。２０は前記バネ１８を固定するネジで、以上は図６の構成と同様なものである。
【００３５】
図６の構成と異なるのは、前記スペーサ（上）１４ａの一部を切断した切断面１４ｂを有している点であり、また前記ブラケット（上）１３ｂ及び前記ブラケット（下）１５ｂが加工公差上大きく仕上がっている点である。
【００３６】
以上のように構成された、映像機器の回転機構において、図８を用いてその動作を説明する。
【００３７】
前記ブラケット（上）１３ｂに回転力が伝わると、前記ブラケット（上）１３ｂと前記ブラケット（下）１５ｂとの間で摩擦が生じる。これらの摩擦より、異常音や接触部分の摩耗及び不均一な回転運動（トルクの変動）が生じ商品性を著しく低下させる。これらを潤滑媒体である前記スペーサ（上）１４ａにて防止する。また、加工上前記ブラケット（上）１３ｂと前記ブラケット（下）１５ｂの接触潤滑面の仕上がりがばらついた場合でも、前記スペーサ（上）１４ａに設けた切断面１４ｂの隙間が任意に広がったり捻じれたりして前記ブラケット（上）１３ｂと前記ブラケット（下）１５ｂの潤滑面に沿うことにより、前記ブラケット（上）１３ｂと前記ブラケット（下）１５ｂの加工上のばらつきを吸収し、加工公差上生ずるがたつきを抑制する。
【００３８】
本発明の映像機器の回転機構は、この構成によって回転機構の加工公差上生ずるがたつきを抑制することにより安定した回転トルクを提供する。
【００３９】
（実施の形態４）
図９，１０は、本発明の映像機器の回転機構を備えた回転台の部品図であり、図１１は、本発明の映像機器の回転機構を備えた回転台の組立断面図である。図１１において、１３ａはブラケット（上）、１４ａはスペーサ（上）、１５ａはブラケット（下）で構成される。以上は図６の構成と同様なものである。
【００４０】
図６の構成と異なるのは、前記ブラケット（上）１３ａに立設されたストッパ部材２２及び前記ブラケット（下）１５ａに設けられ前記ストッパ部材２２に当接する当接部材２３を有している点である。
【００４１】
以上のように構成された、映像機器の回転機構において、図１１を用いてその動作を説明する。
【００４２】
前記ブラケット（上）１３ａに回転力が伝わると、前記ブラケット（上）１３ａと前記スペーサ（上）１４ａ及び前記スペーサ（上）１４ａと前記ブラケット（下）１５ａとの間で摩擦による回転運動が生じる。これらの回転運動を前記ブラケット（上）１３ａから立設されたストッパ部材２２と、前記ブラケット（下）１５ａに設けられ前記ストッパ部材２２に当接する当接部材２３とで接触させることにより、回転機構の回転運動を制御する。
【００４３】
本発明の映像機器の回転機構は、この構成によって上側回転部材である前記ブラケット（上）の過回転を下側固定部材であるブラケット（下）の当接部材で抑制するため、回転機構を任意の角度で規制する。
【００４４】
【発明の効果】
以上のように本発明は、小型の構成部品で回転機構を得られることによりデザイン上の制限がなくなる。また、バネの押し付け量を筒の長さを変えることよって変化させ回転トルクの調整ができるため、任意の回転トルクが設定でき設置面の影響を受けないため設置上の制限がなくなる。また、高価な鋼球用いたベアリングや金属製の潤滑ワッシャーなどを使用することがなく、潤滑オイルやグリスなどのように枯渇や変質を防ぐ補給装置が必要ないため、安価に回転機構を提供できる。また、潤滑媒体である前記スペーサ（上）に切り欠きを設けることにより回転機構の加工公差上生ずるがたつきを抑制し安定した回転トルクを提供できる。また、ブラケット（上）にストッパ部材を、ブラケット（下）に当接部材を配設することにより回転機構を任意の角度で規制するという優れた効果が得られる。
【図面の簡単な説明】
【図１】本発明の実施の形態１における回転機構を備えた回転台の設置した状態での外観斜視図
【図２】本発明の実施の形態１における回転機構を備えた回転台の外観斜視図
【図３】本発明の実施の形態１における回転機構の分解斜視図
【図４】本発明の実施の形態１における回転機構の動作説明のための組立断面図
【図５】本発明の実施の形態２における回転機構の分解斜視図
【図６】本発明の実施の形態２における回転機構の動作説明のための組立断面図
【図７】本発明の実施の形態３における回転機構の分解斜視図
【図８】本発明の実施の形態３における回転機構の動作説明のための組立断面図
【図９】本発明の実施の形態４における回転機構の部品図
【図１０】本発明の実施の形態４における回転機構の部品図
【図１１】本発明の実施の形態４における回転機構の動作説明のための組立断面図
【図１２】従来の回転台装置の正面図
【符号の説明】
１　収納ラック本体
２　側板
３　底板
４　第１のキャスタ
５　第２のキャスタ
６　天板
７　ガラス扉
８　キャスタガイド
９　プラズマテレビ
１０　回転台
１１　天板
１２　カバー
１３　ブラケット（上）
１３ａ　ブラケット（上）円錐
１３ｂ　ブラケット（上）円錐大
１４　スペーサ（上）
１４ａ　スペーサ（上）円錐
１４ｂ　切断面
１５　ブラケット（下）
１５ａ　ブラケット（下）円錐
１５ｂ　ブラケット（下）円錐大
１６　スペーサ（下）
１７　ワッシャー
１８　バネ
１９　筒
１９ａ　筒（長）
２０　ネジ
２１　底板
２２　ストッパ部材
２３　当接部材
【図１】
2004056606.tif 000003
【図２】
2004056606.tif 000004
【図３】
2004056606.tif 000005
【図４】
2004056606.tif 000006
【図５】
2004056606.tif 000007
【図６】
2004056606.tif 000008
【図７】
2004056606.tif 000009
【図８】
2004056606.tif 000010
【図９】
2004056606.tif 000011
【図１０】
2004056606.tif 000012
【図１１】
2004056606.tif 000013
【図１２】
2004056606.tif 000014